(57)【要約】【課題】アコースティックドラムの打感を良好に再現できる電子ドラムパッドを提供する。【解決手段】ドラムシェルと、ドラムシェルの上面開口部に張られたメッシュヘッドと、メッシュヘッドの裏面に隣接し、その中央に開口部を含んでリング形をなす硬質樹脂シートと、硬質樹脂シートの裏面に隣接する布と、布の裏面に隣接し、複数のシートを重ねあわせて形成される打撃吸収部材と、打撃吸収部材の裏面に隣接し、ドラムシェルの下面開口部に嵌め込まれるトレイを含む。【選択図】図２
2019120900.tif 000002
【特許請求の範囲】
【請求項１】
ドラムシェルと、
前記ドラムシェルの上面開口部に張られたメッシュヘッドと、
前記メッシュヘッドの裏面に隣接し、その中央に開口部を含んでリング形をなす硬質樹脂シートと、
前記硬質樹脂シートの裏面に隣接する布と、
前記布の裏面に隣接し、複数のシートを重ねあわせて形成される打撃吸収部材と、
前記打撃吸収部材の裏面に隣接し、前記ドラムシェルの下面開口部に嵌め込まれるトレイを含む
電子ドラムパッド。
【請求項２】
請求項１に記載の電子ドラムパッドであって、
前記打撃吸収部材は、前記メッシュヘッドに近い側から順に、少なくとも、多孔質樹脂シートと、ゴムシートと、樹脂エマルジョンシートを重ねあわせてなる
電子ドラムパッド。
【請求項３】
請求項２に記載の電子ドラムパッドであって、
前記多孔質樹脂シートと前記ゴムシートの間に挟み込まれる第２の硬質樹脂シートと、第２のゴムシートを含み、
前記第２の硬質樹脂シートおよび前記第２のゴムシートは、
前記硬質樹脂シートの前記開口部よりも小さく形成され、それらを上方向から投影した図形が、前記硬質樹脂シートの前記開口部を上方向から投影した図形に内包される位置に設けられる
電子ドラムパッド。
【請求項４】
請求項１から３の何れかに記載の電子ドラムパッドであって、
前記ドラムシェルの内壁に近接する位置に、エッジセンサ組立体を含み、
前記エッジセンサ組立体は、
前記硬質樹脂シートの裏面に接触する第１のクッション材と、
前記第１のクッション材の裏面に接触するエッジセンサと、
前記エッジセンサの裏面に接触する第２のクッション材と、
前記第２のクッション材の裏面に接触し、前記トレイの表面に接続される台座を含む
電子ドラムパッド。
【請求項５】
請求項１から４の何れかに記載の電子ドラムパッドであって、
前記トレイの裏面中央に接着されたプレートと、
前記プレートの裏面に接着されたセンターセンサを含む
電子ドラムパッド。
【請求項６】
請求項５に記載の電子ドラムパッドであって、
前記プレートは、その中央に孔を含んでリング形をなし、
前記センターセンサは、前記孔を避けるように、前記プレートの裏面に接着される
電子ドラムパッド。
【発明の詳細な説明】
【技術分野】
【０００１】
本発明は電子ドラムパッドに関する。
【背景技術】
【０００２】
電子ドラムパッドの従来例として例えば非特許文献１がある。非特許文献１の電子ドラムパッドは、メッシュヘッドを採用している。メッシュヘッドは、特殊な糸を編み込んでなる網状の生地からなり、網の格子を空気がすり抜けるため、打撃を加えたときに空気振動が起こりにくく、静音性に優れる。
【先行技術文献】
【非特許文献】
【０００３】
【非特許文献１】ALESIS、"CRIMSON MESH KIT Five-Piece Electronic Drum Kit with Mesh Heads"、[online]、[平成29年11月30日検索]、インターネット<URL:https:// http://www.alesis.com/products/view2/crimson-mesh-kit>
【発明の概要】
【発明が解決しようとする課題】
【０００４】
しかし、メッシュヘッドを採用した電子ドラムパッドはその打感がアコースティックドラムの打感と異なる場合がある。例えばメッシュヘッドを打撃すると、スティックの跳ね返りがアコースティックドラムよりも強く表れるため、スティックリバウンド（ダブルストローク）を上手く再現できない可能性がある。
【０００５】
また、アコースティックドラムはヘッドの辺縁部を打撃した場合には、硬い打感となり、ヘッドの中心部を打撃した場合には、柔らかい打感となる。従来のメッシュヘッドによる電子ドラムパッドは、ヘッドの打撃位置による打感の違いを上手く再現できない可能性があった。
【０００６】
そこで本発明では、アコースティックドラムの打感を良好に再現できる電子ドラムパッドを提供することを目的とする。
【課題を解決するための手段】
【０００７】
本発明の電子ドラムパッドは、ドラムシェルと、ドラムシェルの上面開口部に張られたメッシュヘッドと、メッシュヘッドの裏面に隣接し、その中央に開口部を含んでリング形をなす硬質樹脂シートと、硬質樹脂シートの裏面に隣接する布と、布の裏面に隣接し、複数のシートを重ねあわせて形成される打撃吸収部材と、打撃吸収部材の裏面に隣接し、ドラムシェルの下面開口部に嵌め込まれるトレイを含む。
【発明の効果】
【０００８】
本発明の電子ドラムパッドによれば、アコースティックドラムの打感を良好に再現できる。
【図面の簡単な説明】
【０００９】
【図１】実施例１の電子ドラムパッドを示す図面であって、図１（Ａ）はその平面図、図１（Ｂ）はその正面図。
【図２】実施例１の電子ドラムパッドのメッシュヘッドとドラムシェル以外のパーツの分解斜視図。
【図３】実施例１の電子ドラムパッドの概略断面図であって、図３（Ａ）は電子ドラムパッド本体の概略断面図、図３（Ｂ）はエッジセンサ組立体の概略断面図。
【図４】実施例１の電子ドラムパッドのヘッドを打撃した際にセンサに入力される信号の周波数成分を例示するグラフ。
【図５】実施例２の電子ドラムパッドを示す図面であって、図５（Ａ）はその平面図、図５（Ｂ）はその正面図。
【図６】実施例２の電子ドラムパッドのメッシュヘッドとドラムシェル以外のパーツの分解斜視図。
【図７】実施例２の電子ドラムパッドの概略断面図。
【発明を実施するための形態】
【００１０】
以下、本発明の実施の形態について、詳細に説明する。
【実施例１】
【００１１】
以下、図１を参照して実施例１の電子ドラムパッドの外形について説明する。本実施例の電子ドラムパッド１は、スネアドラムを模擬するパッドである。同図に示すように、電子ドラムパッド１は、浅い略円筒型であって、上面開口部と下面開口部を備えるドラムシェル１２と、ドラムシェル１２の上面開口部に張られたメッシュヘッド１１を含む外形である。
【００１２】
以下、図２、図３を参照して本実施例の電子ドラムパッド１の内部構造について説明する。図２、図３（Ａ）に示すように、電子ドラムパッド１の内部構造として、メッシュヘッド１１の裏面に隣接し、円形の薄いシート形状の中央に開口部１０５Ａを含んでリング形をなす第１の硬質樹脂シート１０５と、第１の硬質樹脂シート１０５の裏面に隣接する布１１０と、布１１０の裏面に隣接し、複数のシート（１１５、１２０、１２５、１３５、１４０）を重ねあわせて形成される打撃吸収部材１７０と、打撃吸収部材１７０の裏面に隣接し、ドラムシェル１２の下面開口部に嵌め込まれるトレイ１４５と、ドラムシェル１２の内壁に近接する位置に設けられるエッジセンサ組立体１３０と、トレイ１４５の裏面に固定されるセンターセンサ組立体１５０を含む構造である。
【００１３】
≪第１の硬質樹脂シート１０５≫
第１の硬質樹脂シート１０５は、円形の薄いシート形状の中央に略円形の開口部１０５Ａを含むリング形の部材である。開口部１０５Ａには、その一部を外側に向かって切り込んでなる切欠き１０５Ｂが設けられている。この切欠き１０５Ｂは、ヘッドの辺縁部に打撃が加えられた場合に、後述するエッジセンサ１３０Ｂに良好に高音を伝えるために設けられている。第１の硬質樹脂シート１０５の素材としては、硬質な樹脂を用いればよい。例えばＰＥＴ（ポリエチレンテレフタラート）を用いれば好適である。他の素材として、ＨＤＰＥ（高密度ポリエチレン）、ＰＶＣ（塩化ビニル、硬質）、ＰＣ（ポリカーボネイト）、ＰＭＭＡ（アクリル）、ＰＰ（ポリプロピレン）などを用いてもよい。
【００１４】
第１の硬質樹脂シート１０５を硬質な樹脂で形成したことにより、第１の硬質樹脂シート１０５が位置するヘッドの辺縁部を打撃した際に、演奏者に硬い打感を与えることができる。また、第１の硬質樹脂シート１０５の中央部に開口部１０５Ａを設けたことにより、開口部１０５Ａが位置するヘッドの中央部を打撃した際に、演奏者に硬い打感を与えないようにすることができる。これにより、電子ドラムパッド１の打感をアコースティックドラムの打感に近づけることができる。
【００１５】
≪布１１０≫
布１１０は、第１の硬質樹脂シート１０５と同程度の大きさの円形の薄いシート状であって、その外周の一部を内側に切り込んでなる切欠き１１０Ａを含む。布１１０は不織布とすれば好適である。布１１０は、第１の硬質樹脂シート１０５と後述する多孔質樹脂シート１１５が打撃によってぶつかり合う音が発生することを防止するために、両シートの間に挟み込んである。すなわち、布１１０は、第１の硬質樹脂シート１０５と後述する多孔質樹脂シート１１５の緩衝材（衝撃吸収材）として機能する。
【００１６】
≪打撃吸収部材１７０≫
打撃吸収部材１７０は、主にメッシュヘッド１１の中央部に打撃が加えられた際に、その打撃を適度に吸収することにより、その打感を柔らかすぎず、硬すぎない程度に調整して、アコースティックドラムのヘッドの中央部を打撃した際の打感に近づけるための部材である。
【００１７】
打撃吸収部材１７０は、メッシュヘッド１１に近い側から順に、少なくとも、多孔質樹脂シート１１５と、第１のゴムシート１３５と、樹脂エマルジョンシート１４０を重ねあわせてなる。さらに、本実施例の打撃吸収部材１７０は、多孔質樹脂シート１１５と第１
のゴムシート１３５の間に、メッシュヘッド１１に近い側から順に、第２の硬質樹脂シート１２０と、第２のゴムシート１２５を挟み込んでなる。
【００１８】
≪トレイ１４５≫
トレイ１４５は、その外周を周回する凸部を有する円形の皿形状であって、その辺縁に浅い凹部１４５Ａを含む。トレイ１４５は、ドラムシェル１２の下面開口部に嵌め込んで（引掛けて）固定することができる。トレイ１４５の素材として、強度のある硬質な樹脂を用いればよい。例えばＰＣ（ポリカーボネイト）を用いれば好適である。他の素材として、ＰＥＴ（ポリエチレンテレフタラート）、ＨＤＰＥ（高密度ポリエチレン）、ＰＶＣ（塩化ビニル、硬質）、ＰＭＭＡ（アクリル）、ＰＰ（ポリプロピレン）などを用いてもよい。
【００１９】
＜多孔質樹脂シート１１５＞
多孔質樹脂シート１１５は、第１の硬質樹脂シート１０５と同程度の大きさの円形の薄いシート状であって、その外周の一部を内側に切り込んでなる切欠き１１５Ａを含む。多孔質樹脂シート１１５の素材としては、多孔質な樹脂（内部に細かな孔が無数に空いた柔らかい樹脂、発泡性樹脂）を用いればよい。例えばＥＰＤＭゴムスポンジ（エチレンプロピレンゴム）を用いれば好適である。他の素材として、ＮＲスポンジ（天然ゴム）、ＣＲスポンジ（クロロプレンゴム）、ＮＢＲスポンジ（ニトリルゴム）、Ｓｉゴムスポンジ（シリコンゴム）、ＳＢＲスポンジ（スチレンブタジエンゴム）などを用いてもよい。
【００２０】
多孔質樹脂シート１１５を多孔質な樹脂で形成したことにより、アコースティックドラムのヘッドの中央部を打撃した際の柔らかい打感に近づけることができ、同時に静音性を高めることができる。
【００２１】
＜第１のゴムシート１３５＞
第１のゴムシート１３５は、第１の硬質樹脂シート１０５と同程度の大きさの円形の薄いシート状であって、その外周の一部を内側に切り込んでなる切欠き１３５Ａを含む。第１のゴムシート１３５の素材としては、弾性ゴムを用いればよい。例えばＣＲ（クロロプレンゴム）を用いれば好適である。他の素材として、ＳＢＲ（スチレン・ブタジエンゴム）、ＩＲ（イソプレンゴム）、ＢＲ（ブタジエンゴム）、ＮＢＲ（アクリロニトリル・ブタジエンゴム）などを用いてもよいし、非ジエン系ゴム、例えば、ＩＩＲ（イソブチエン・イソプレンゴム）、ＥＰＭ（エチレン・プロピレンゴム）、ＥＰＤＭ（エチレン・プロピレン・ジエンゴム）、Ｓｉ，Ｑ（シリコーンゴム）、ＦＫＭ（フッ素ゴム）などを用いてもよい。
【００２２】
第１のゴムシート１３５を、弾性ゴムとしたことにより、多孔質樹脂シート１１５によって柔らかくなりすぎた打感に、硬さを加味することができ、アコースティックドラムのヘッドの中央部を打撃した際の打感に近づけることができる。
【００２３】
＜樹脂エマルジョンシート１４０＞
樹脂エマルジョンシート１４０は、第１の硬質樹脂シート１０５と同程度の大きさの円形の薄いシート状であって、その外周の一部を内側に切り込んでなる切欠き１４０Ａを含む。樹脂エマルジョンシート１４０の素材としては、アクリル樹脂エマルジョンを用いればよい。樹脂エマルジョンシート１４０は、トレイ１４５に接着されている。
【００２４】
樹脂エマルジョンシート１４０の素材を樹脂エマルジョン（水性樹脂）とし、トレイ１４５に接着したことにより、打撃時にトレイ１４５に生じる残響を抑えることができる。トレイ１４５に生じる残響は、後述するセンターセンサ１６５のトリガー検出におけるノイズ要因であり、打撃音が大きくなる要因でもある。樹脂エマルジョンシート１４０を採用することにより、トリガー検出におけるノイズ要因を減少し、静音性を高めることができる。
【００２５】
＜第２の硬質樹脂シート１２０＞
第２の硬質樹脂シート１２０は、円形の薄いシート状であって、第１の硬質樹脂シート１０５の開口部１０５Ａよりも小さく形成される。第２の硬質樹脂シート１２０は、第２の硬質樹脂シート１２０を上方向から投影した図形が開口部１０５Ａを上方向から投影した図形に内包される位置に設けられる。第２の硬質樹脂シート１２０の素材は、第１の硬質樹脂シート１０５と同様である。
【００２６】
＜第２のゴムシート１２５＞
第２のゴムシート１２５は、円形の薄いシート状であって、第１の硬質樹脂シート１０５の開口部１０５Ａよりも小さく形成される。第２のゴムシート１２５は、第２のゴムシート１２５を上方向から投影した図形が、開口部１０５Ａを上方向から投影した図形に内包される位置に設けられる。第２のゴムシート１２５の素材は、第１のゴムシート１３５と同様である。
【００２７】
第２の硬質樹脂シート１２０と第２のゴムシート１２５を上述の大きさとし、上述の位置に設けたことにより、中央部の打感に硬さを加えることができ、アコースティックドラムのヘッドの中央部を打撃した際の打感により近づけることができる。また、第２の硬質樹脂シート１２０と第２のゴムシート１２５を上述の大きさで、上述の位置に設けることにより、多孔質樹脂シート１１５と布１１０の中央部が上方向にわずかに隆起する。第１の硬質樹脂シート１０５の開口部１０５Ａがこの隆起に嵌りこむことにより、第１の硬質樹脂シート１０５を布１１０に密着させて安定させることができ、第１の硬質樹脂シート１０５が浮き上がることによる雑音の発生、打感の劣化を防ぐことができる。
【００２８】
≪エッジセンサ組立体１３０≫
図２に示すように、電子ドラムパッド１は、ドラムシェル１２の内壁に近接する位置に、エッジセンサ組立体１３０を含む。エッジセンサ組立体１３０は、前述した切欠き１１０Ａ、１１５Ａ、１３５Ａ、１４０Ａを重ねあわせることで生じる空隙に収容される。図２、図３（Ｂ）に示すように、エッジセンサ組立体１３０は、第１の硬質樹脂シート１０５の裏面に接触する第１のクッション材１３０Ａと、第１のクッション材１３０Ａの裏面に接触するエッジセンサ１３０Ｂと、エッジセンサ１３０Ｂの裏面に接触する第２のクッション材１３０Ｃと、第２のクッション材１３０Ｃの裏面に接触し、トレイ１４５の表面の凹部１４５Ａに嵌りこむ台座１３０Ｄを含む。第１のクッション材１３０Ａ、第２のクッション材１３０Ｃの素材は、例えばウレタンフォームなどでよい。
【００２９】
エッジセンサ１３０Ｂは、主に電子ドラムパッド１の辺縁部を打撃した際の高音を検出するためのセンサである。エッジセンサ１３０Ｂは、例えば圧電素子でよい。上述したように、第１の硬質樹脂シート１０５とトレイ１４５により、エッジセンサ組立体１３０を上下から挟み込むようにして固定することにより、高音の検出を良好にすることができる。
【００３０】
≪センターセンサ組立体１５０≫
トレイ１４５の裏面には、センターセンサ組立体１５０が固定される。センターセンサ組立体１５０は、トレイ１４５の裏面中央に、第１の多孔質部材１５０Ｂを介して接着され、中央に孔１５０Ａ−１を含むリング形をなすプレート１５０Ａと、プレート１５０Ａの裏面に、第２の多孔質部材１５０Ｃを介して接着されたセンターセンサ１５０Ｄを含む。センターセンサ１５０Ｄは、孔１５０Ａ−１を避ける位置に接着される。第１の多孔質部材１５０Ｂ、第２の多孔質部材１５０Ｃの素材は、例えばウレタンフォームなどでよい。
【００３１】
センターセンサ１５０Ｄは、主に電子ドラムパッド１の中央部の打撃を検出するためのセンサである。センターセンサ１５０Ｄは、例えば圧電素子でよい。センターセンサ組立体１５０がプレート１５０Ａを備えることにより、トレイ１４５に発生した振動は、その位置によらず、プレート１５０Ａに伝わりやすくなる。これにより、センターセンサ１５０Ｄを直接トレイ１４５に接着した場合と比較し、センターセンサ１５０Ｄが感応するトレイ１４５の範囲を広範囲とすることができる。また、プレート１５０Ａに孔１５０Ａ−１を設け、センターセンサ１５０Ｄを、孔１５０Ａ−１を避ける位置に接着したことにより、トレイ１４５の中心に生じるひずみ（ノイズ）をピックアップすることを回避できる。
【００３２】
なお、上述したシートや部材を隣り合うシートや部材に接着するために、適宜両面粘着テープ（両面粘着シート）などを用いてもよい。
【００３３】
≪ＷａｖｅＤｒｕｍシステムとの関係≫
ＷａｖｅＤｒｕｍシステムとは、電子ドラムの辺縁部やリムを打撃した際に生じる高音と、中心部を打撃した際に生じる低音の比率を検出し、この比率に応じて打撃位置を推測し、推測された打撃位置に応じて音色をシミュレーションし、シミュレーションした音色を発音するシステムである。ＷａｖｅＤｒｕｍシステムを利用するためには、電子ドラムの辺縁部の高音と中心部の低音の比率が打撃位置に応じて連続的に変化していくように、電子ドラムの構造を工夫する必要がある。
【００３４】
上述したように本実施例では、第１の硬質樹脂シート１０５を硬質な樹脂製とし、さらに内部構造のうち一番上の層に配置したため、ヘッドの辺縁部をスティックで打撃した際に高い音を発生させることができ、打撃位置がヘッドの中心部に近づくにつれ、高音の比率が連続的に小さくなっていき、低音の比率が連続的に大きくなっていく構造を実現することができた。図４は、ヘッドを打撃した際にエッジセンサ１３０Ｂとセンターセンサ１５０Ｄに入力される二つの信号を合成した信号の周波数成分を例示するグラフである。（Ａ）列はヘッドの辺縁部を打撃した際の入力信号の波形、（Ｂ）列はヘッドの中央部を打撃した際の入力信号の波形、（１）段目は入力信号の周波数成分、（２）段目はハイパスフィルタ通過後の高域成分、（３）段目はローパスフィルタ通過後の低域成分を、それぞれ例示するグラフである。図４（Ａ）−（１）と図４（Ｂ）−（１）を比較すると、ヘッドの辺縁部を打撃した際の信号では、ヘッドの中央部を打撃した際に観測される低域から中域のピークが抑えられていることが分かる（図中黒矢印を参照）。また、ヘッドの中央部を打撃した際の信号では、ヘッドの辺縁部を打撃した際に観測される高域のピークが抑えられていることが分かる（図中白矢印を参照）。また、（２）段目、（３）段目をみると、フィルタによる高域通過、低域通過の後も、上記の特徴が保存されていることが分かる。これにより、リムを打撃した際に生じる高音と、中心部を打撃した際に生じる低音の比率の良好な検出を可能とする。
【００３５】
また、内部構造のうち二番目の層を布１１０としたため、第１の硬質樹脂シート１０５と多孔質樹脂シート１１５がぶつかりあうことによるノイズをキャンセルすることができるため、ＷａｖｅＤｒｕｍシステムにより、より高精度に音色をシミュレーションすることができる。
【実施例２】
【００３６】
以下、図５を参照して実施例２の電子ドラムパッドの外形について説明する。本実施例の電子ドラムパッド２は、タムドラムを模擬するパッドである。同図に示すように、電子ドラムパッド２は、浅い略円筒型であって、上面開口部と下面開口部を備えるドラムシェル２２と、ドラムシェル２２の上面開口部に張られたメッシュヘッド２１を含む外形である。
【００３７】
以下、図６、図７を参照して本実施例の電子ドラムパッド２の内部構造について説明する。図６、図７に示すように、電子ドラムパッド２の内部構造として、メッシュヘッド２１の裏面に隣接し、円形の薄いシート形状の中央に開口部２０５Ａを含んでリング形をなす硬質樹脂シート２０５と、硬質樹脂シート２０５の裏面に隣接する布２１０と、布２１０の裏面に隣接し、複数のシート（２１５、２２０、２２５）を重ねあわせて形成される打撃吸収部材２５０と、打撃吸収部材２５０の裏面に隣接し、ドラムシェル２２の下面開口部に嵌め込まれるトレイ２３０と、トレイ２３０の裏面に固定されるセンターセンサ組立体２３５を含む構造である。
【００３８】
≪硬質樹脂シート２０５≫
実施例１の第１の硬質樹脂シート１０５と同様である。ただし、開口部の切欠きは省略される。
【００３９】
≪布２１０≫
実施例１の布１１０と同様である。ただし、電子ドラムパッド２ではエッジセンサ組立体は省略されているため、切欠きは省略される。
【００４０】
≪打撃吸収部材２５０≫
実施例１の打撃吸収部材１７０と同様であり、メッシュヘッド２１に近い側から順に、多孔質樹脂シート２１５と、ゴムシート２２０と、樹脂エマルジョンシート２２５を重ねあわせてなる。
【００４１】
＜多孔質樹脂シート２１５＞
実施例１の多孔質樹脂シート１１５と同様である。ただし、切欠きは省略される。
【００４２】
＜ゴムシート２２０＞
実施例１の第１のゴムシート１３５と同様である。ただし、切欠きは省略される。
【００４３】
＜樹脂エマルジョンシート２２５＞
実施例１の樹脂エマルジョンシート１４０と同様である。ただし、切欠きは省略される。
【００４４】
≪センターセンサ組立体２３５≫
実施例１のセンターセンサ組立体１５０と同様である。ただし、プレート２３５Ａは孔を備えず、実施例１のセンターセンサ組立体１５０よりも簡略化した構成である。センターセンサ組立体２３５は、打撃による信号をバランス良く取り込むために、トレイ２３０の裏面の中心から少しずれた位置に固定される。
【符号の説明】
【００４５】
１    電子ドラムパッド
１１    メッシュヘッド
１２    ドラムシェル
１０５    第１の硬質樹脂シート
１０５Ａ    開口部
１０５Ｂ    切欠き
１１０    布
１１０Ａ    切欠き
１１５    多孔質樹脂シート
１１５Ａ    切欠き
１２０    第２の硬質樹脂シート
１２５    第２のゴムシート
１３０    エッジセンサ組立体
１３０Ａ    第１のクッション材
１３０Ｂ    エッジセンサ
１３０Ｃ    第２のクッション材
１３０Ｄ    台座
１３５    第１のゴムシート
１３５Ａ    切欠き
１４０    樹脂エマルジョンシート
１４０Ａ    切欠き
１４５    トレイ
１４５Ａ    凹部
１５０    センターセンサ組立体
１５０Ａ    プレート
１５０Ａ−１    孔
１５０Ｂ    第１の多孔質部材
１５０Ｃ    第２の多孔質部材
１５０Ｄ    センターセンサ
１７０    打撃吸収部材
２    電子ドラムパッド
２１    メッシュヘッド
２２    ドラムシェル
２０５    硬質樹脂シート
２０５Ａ    開口部
２１０    布
２１５    多孔質樹脂シート
２２０    ゴムシート
２２５    樹脂エマルジョンシート
２３０    トレイ
２３５    センターセンサ組立体
２３５Ａ    プレート
２３５Ｂ    多孔質部材
２３５Ｃ    センターセンサ
【図１】
2019120900.tif 000003
【図２】
2019120900.tif 000004
【図３】
2019120900.tif 000005
【図４】
2019120900.tif 000006
【図５】
2019120900.tif 000007
【図６】
2019120900.tif 000008
【図７】
2019120900.tif 000009